(57)【要約】【課題】爪部の破損が抑制された電子装置及び取付装置を提供することを課題とする。【解決手段】本明細書に開示の電子装置は、電子部品と、取付部材と、前記取付部材が係合又は離脱可能な爪部、前記爪部に係合する位置及び離脱する位置の間を回転可能に前記取付部材を支持する支持部、を含み、前記爪部に係合した前記取付部材とにより前記電子部品を挟む被取付部材と、を備えている。【選択図】図８
2014060292.tif 000002
【特許請求の範囲】
【請求項１】
電子部品と、
取付部材と、
前記取付部材が係合又は離脱可能な爪部、前記爪部に係合する位置及び離脱する位置の間を回転可能に前記取付部材を支持する支持部、を含み、前記爪部に係合した前記取付部材とにより前記電子部品を挟む被取付部材と、
を備えた電子装置。
【請求項２】
前記支持部は、所定の方向に延びた軸部を含み、
前記取付部材は、前記軸部周りに回転可能に前記軸部を挟む挟持部を含む、請求項１の電子装置。
【請求項３】
前記挟持部は、前記取付部材が前記爪部から離脱している状態で前記支持部から離脱可能に弾性変形する、請求項２の電子装置。
【請求項４】
振動を発生させる振動源を備え、
前記電子部品は、カメラ及びマイクロフォンの少なくとも一方を含む、請求項１乃至３の何れかの電子装置。
【請求項５】
表示器を備え、
前記被取付部材は、前記表示器を覆うカバーである、請求項１乃至４の何れかの電子装置。
【請求項６】
前記カバーは、前記表示器の外周縁を覆う額縁であり、
前記額縁の前記表示器の画面側に固定されたパネルと、
前記額縁と前記パネルとの間にあり前記額縁及び前記パネルに接着した緩衝部材と、を備えた請求項５の電子装置。
【請求項７】
取付部材と、
前記取付部材が係合又は離脱可能な爪部、前記爪部に係合する位置及び離脱する位置の間を回転可能に前記取付部材を支持する支持部、を含む被取付部材と、
を備えた取付装置。
【発明の詳細な説明】
【技術分野】
【０００１】
本発明は、電子装置及び取付装置に関する。
【背景技術】
【０００２】
被取付部材の爪部に取付部材を係合させて取付部材を被取付部材に取り付ける場合がある。このような爪部は、取付部材との係合時又は離脱時に弾性変形する。特許文献１〜３には、部材の取付けに関する技術が開示されている。
【先行技術文献】
【特許文献】
【０００３】
【特許文献１】特開平５‐３４３８６７号公報
【特許文献２】実開平４‐２０２８１号公報
【特許文献３】実公昭６３‐３６７７７号公報
【発明の概要】
【発明が解決しようとする課題】
【０００４】
爪部へ係合させる時の取付部材の位置や姿勢、移動方向によっては、爪部が大きく変形して大きな負荷がかかるおそれがある。爪部から離脱させて取付部材を被取付部材から取外す際も同様である。
【０００５】
本発明は、爪部への負荷が抑制された電子装置及び取付装置を提供することを目的とする。
【課題を解決するための手段】
【０００６】
本明細書に開示の電子装置は、電子部品と、取付部材と、前記取付部材が係合又は離脱可能な爪部、前記爪部に係合する位置及び離脱する位置の間を回転可能に前記取付部材を支持する支持部、を含み、前記爪部に係合した前記取付部材とにより前記電子部品を挟む被取付部材と、を備えている。
【０００７】
本明細書に開示の取付装置は、取付部材と、前記取付部材が係合又は離脱可能な爪部、前記爪部に係合する位置及び離脱する位置の間を回転可能に前記取付部材を支持する支持部、を含む被取付部材と、を備えている。
【発明の効果】
【０００８】
本発明は、爪部の破損が抑制された電子装置及び取付装置を提供できる。
【図面の簡単な説明】
【０００９】
【図１】図１は、コンピュータの説明図である。
【図２】図２は、リアカバーを取外した表示部を背面側から見た図である。
【図３】図３は、額縁を背面側から見た図である。
【図４】図４は、押え部材の説明図である。
【図５】図５は、図２の押え部材周辺の拡大図である。
【図６】図６は、図５の断面図である。
【図７】図７は、爪部から離脱した押え部材周辺の拡大図である。
【図８】図８は、図７の断面図である。
【図９】図９は、部品を取外した状態の押え部材周辺の拡大図である。
【図１０】図１０Ａ、１０Ｂは、図６の部分拡大図である。
【図１１】図１１は、図８の部分拡大図である。
【図１２】図１２は、緩衝部材周辺の断面図である。
【発明を実施するための形態】
【００１０】
コンピュータ１を電子装置の一例として説明する。図１は、コンピュータ１の説明図である。コンピュータ１は、ベース板３、柱部５、表示部７、音出力部９を含む。柱部５はベース板３に対して回転可能に連結されている。柱部５の先端には表示部７が連結されている。表示部７の下辺側の背面側には音出力部９が設けられている。表示部７は、額縁１０Ｆ、リアカバー１０Ｒ、タッチパネルＰ等を含む。額縁１０Ｆは、表示部７の正面側にある。リアカバー１０Ｒは表示部７の背面側にある。タッチパネルＰは、額縁１０Ｆの正面側に固定されている。額縁１０Ｆ、リアカバー１０Ｒは、互いに組みつけられ、ディスプレイＤＰ等を収納している。ディスプレイＤＰは表示器の一例である。額縁１０Ｆ、リアカバー１０Ｒは、カバーの一例である。
【００１１】
額縁１０Ｆは、ディスプレイＤＰの画面を視認可能に露出するための略矩形状の開口部１８が形成されている。額縁１０Ｆは、図１に示すように、辺１２Ｔ、１２Ｄ、１３Ｌ、１３Ｒ、を含む。辺１２Ｔ、１２Ｄは、互いに平行であり、辺１３Ｌ、１３Ｒも互いに平行である。辺１２Ｔ、１２Ｄは、辺１３Ｌ、１３Ｒに直交している。各辺１２Ｔ、１２Ｄの長さは、各辺１３Ｌ、１３Ｒの長さよりも長い。辺１２Ｄは下辺の一例である。音出力部９は、辺１２Ｄに沿って延びた略円柱形状である。
【００１２】
図２は、リアカバー１０Ｒを取外した表示部７を背面側から見た図である。音出力部９の半ケースＭＦ内には２つのスピーカ９０が収納されている。表示部７内には、ディスプレイＤＰの他に、マザーボードＭＢ、ハードディスクドライブＨＤＤ、光ディスクドライブＯＤＤ、イオナイザーＩＮ等が収納されている。マザーボードＭＢは、ＣＰＵが実装されておりコンピュータ１の動作全体を制御する。マザーボードＭＢにはＣＰＵから受けた熱を放熱するヒートシンクＨＳ、ヒートシンクＨＳに風を送るファンＦ、その他メモリＭ等が実装されている。マザーボードＭＢ、ハードディスクドライブＨＤＤ、光ディスクドライブＯＤＤ、イオナイザーＩＮは、ディスプレイＤＰの背面側に配置されている板金等に固定されている。図３は、額縁１０Ｆを表示部の背面側から見た図である。半ケースＭＦは額縁１０Ｆに組みつけられている。尚、半ケースＭＦに組み付けられるもう一方の半ケースはリアカバー１０Ｒに組みつけられている。辺１２Ｔの略中央部には押え部材６０が取付けられている。
【００１３】
図４は、押え部材６０の説明図である。押え部材６０は合成樹脂製であるがこれに限定されない。押え部材６０は、一方向に延びた胴部６１、胴部６１の第１端部６３、第１端部６３とは反対側の胴部６１の第２端部６４、を含む。胴部６１には上方側に突出した取手部６８が形成されている。胴部６１には、取手部６８が突出した側と反対側に押圧部６２ａ、窪み部６２ｂが形成されている。押圧部６２ａ、窪み部６２ｂは胴部６１の長手方向に連続している。窪み部６２ｂは押圧部６２ａよりもへこんでいる。折曲部６２ｃは、胴部６１に連続し胴部６１に直交する方向に延びている。
【００１４】
第２端部６４は、爪部６４ａ、２つの突片部６４ｂを含む。爪部６４ａ、突片部６４ｂは互いに対向して胴部６１の長手方向に突出している。爪部６４ａは折曲部６２ｃの上側から胴部６１の長手方向に突出している。２つの突片部６４ｂは折曲部６２ｃの下側から胴部６１の長手方向に突出している。爪部６４ａは、胴部６４ａ１、胴部６４ａ１の先端に設けられた突部６４ａ２を含む。胴部６４ａ１は、ある程度反るように弾性変形可能な厚みに設定されている。第２端部６４は、挟持部の一例である。
【００１５】
図５は、図２の押え部材６０周辺の拡大図である。図６は、図５の断面図である。押え部材６０は、辺１２Ｔに設けられた爪部３０、支持部４０に係合して取付けられている。押え部材６０の第１端部６３は、爪部３０に係合した係合位置に位置づけられている。爪部３０は、辺１２Ｔの内側面から突出した胴部３１、胴部３１の先端側に形成された突部３３、を含む。辺１２Ｔの内側面とは、ディスプレイＤＰの画面に平行な辺１２Ｔの内側面をいう。胴部３１はある程度反るように弾性変形可能な厚みに形成されている。爪部３０は、押え部材６０の第１端部６３に係合している。
【００１６】
支持部４０は、辺１２Ｔの内側面から突出した板部４１、板部４１から辺１２Ｔの内側面に沿って延びた軸部４４、を含む。板部４１は三角形状であるがこれに限定されない。軸部４４は、板部４１の側面から突出し、爪部３０が突出した方向と交差する方向に延びている。図５には、軸部４４の軸心ＡＸを点線で示している。爪部６４ａ、突片部６４ｂは、軸部４４を挟むようにして係合している。支持部４０と対向する辺１２Ｔの部分には、逃げ孔１４が形成されている。詳しくは後述する。額縁１０Ｆは、被取付部材の一例であり、押え部材６０は取付部材の一例である。額縁１０Ｆ、押え部材６０は取付装置の一例である。
【００１７】
部品５０は、額縁１０Ｆの辺１２Ｔと押え部材６０との間で挟まれている。部品５０は、プリント基板５１、プリント基板５１に実装されたカメラ５５、マイクロフォン５６を含む。カメラ５５、マイクロフォン５６は、辺１２Ｔの内側面側、換言すれば表示部７の正面側を向いている。押え部材６０の押圧部６２ａはプリント基板５１を押している。窪み部６２ｂは、プリント基板５１から退避している。部品５０は、コネクタやケーブルを介してマザーボードＭＢに電気的に接続されている。この部品５０は交換可能である。部品５０は電子部品の一例である。
【００１８】
次に部品５０の交換作業について説明する。図７は、爪部３０から離脱した押え部材６０周辺の拡大図である。図８は、図７の断面図である。作業者は押え部材６０の取手部６８をつかみ、第２端部６４が軸部４４を挟んだ状態で第１端部６３が爪部３０から離れるように押え部材６０を軸部４４周りに回転させる。これにより、爪部３０が弾性変形して第１端部６３が爪部３０から離脱する。これにより、押え部材６０は辺１２Ｔの内側面に対して立ち上がった姿勢となる。第１端部６３は爪部３０から離脱した離脱位置にある。押え部材６０で覆われていた部品５０が露出する。よって、部品５０を取外すことができる。尚、逃げ孔１４は、このように押え部材６０を回転させた時に爪部６４ａ、突片部６４ｂと辺１２Ｔとの干渉を回避するために設けられている。
【００１９】
図９は、部品５０を取外した状態の押え部材６０周辺の拡大図である。辺１２Ｔの内側面には、部品５０を位置決めするための位置決め部２２、２３、位置決めピン２７が設けられている。位置決め部２２は、プリント基板５１の長手方向に延びた一方の縁に当接する。位置決め部２３は２つ設けられておりプリント基板５１の長手方向に延びた他方の縁に当接する。位置決めピン２７は、プリント基板５１に形成された孔を貫通して孔周辺を支持する。
【００２０】
辺１２Ｔの内側面には、カメラ５５を逃すための開口部２５、マイクロフォン５６による集音を確保するための開口部２６が形成されている。カメラ５５、マイクロフォン５６がそれぞれ開口部２５、２６に位置的に対応するように、部品５０が位置決め部２２等により位置決めされる。タッチパネルＰにも開口部２６と同軸に孔が形成されている。尚、タッチパネルＰは開口部２５を塞いでいるが光透過性を有しているため、カメラ５５による撮影が確保されている。辺１２Ｔの内側面にはスポンジＳＰが貼り付けられており、プリント基板５１に実装された部品を支持することにより、部品５０を支持している。
【００２１】
部品５０の交換後は、再び第１端部６３が爪部３０に接近するように押え部材６０を軸部４４周りに回転させて、第１端部６３を爪部３０に係合させる。これにより、押え部材６０は額縁１０Ｆに取付けられる。このように、支持部４０は、第１端部６３が爪部３０に係合する係合位置及び離脱する離脱位置間を移動できるように押え部材６０を回転可能に支持している。このように第２端部６４の位置を規定して押え部材６０を回転させることにより、係合位置及び離脱位置間を移動する第１端部６３の移動方向、係合又は離脱時の第１端部６３の位置や姿勢、を一定に規制することができる。
【００２２】
例えば、爪部３０に係合又は離脱する際の第１端部６３の移動方向や位置、姿勢が規制されていない場合、その方向や位置、姿勢によっては爪部３０に大きな負荷が加わるおそれがある。これにより爪部３０の耐久性が低下し、又は弾性限度を超えて変形して破損するおそれがある。また、例えば２つの爪部の間に押え部材６０を挿入して取付ける場合、爪部に係合させる際の押え部材６０の移動方向や姿勢、位置は規制されていないため、同様の問題が発生するおそれがある。また、作業者の熟練度によっても爪部を破損させるおそれもある。本実施例では、爪部３０への係合、離脱する際の第１端部６３の移動方向や姿勢、位置は一定に規制される。このため、このように一定に規制された第１端部６３の移動方向等を考慮して、爪部３０に大きな負荷がかからないように爪部３０の位置や形状、大きさ等を設計できる。これにより、爪部３０への負荷が低減され、耐久性の低下や破損を防止できる。
【００２３】
次に、押え部材６０の取付け、取外しについて詳細に説明する。図１０Ａ、１０Ｂは、図６の部分拡大図である。押え部材６０が爪部３０及び支持部４０に係合した状態では、図１０Ａに示すように第１端部６３のＶＤ方向の移動は爪部３０が弾性変形することにより許容される。しかしながら、図１０Ｂに示すようにＶＤ方向への第２端部６４の移動は突片部６４ｂにより規制される。突片部６４ｂは弾性変形しにくい程度の厚みに設定されているからである。また、図１０Ｂに示すように、ＨＤ方向への第２端部６４の移動は爪部６４ａが弾性変形することにより許容される。しかしならが、図１０Ａに示すようにＨＤ方向への第１端部６３の移動は爪部３０により規制される。
【００２４】
一方、図１０Ｂに示すようにＲＤ方向での第２端部６４の回転は許容され、図１０Ａに示すように第１端部６３のＲＤ方向への回転も爪部３０が弾性変形することにより許容される。このように、爪部３０から押え部材６０を離脱させることが可能な方向が一定に規制されている。同様に、第２端部６４を支持部４０に係合させることにより、爪部３０に押え部材６０を係合させる方向も一定に制限される。このため、押え部材６０を額縁１０Ｆから取外す際、取付ける際に爪部３０に無理な負荷がかかることが防止されている。尚、ＶＤ方向は辺１２Ｔの内側面に垂直な方向であり、ＨＤ方向は辺１２Ｔの内側面に平行な方向であり、ＲＤ方向は軸部４４の軸心ＡＸ周りの方向である。
【００２５】
図１１は、図８の部分拡大図である。押え部材６０の第１端部６３が爪部３０から離脱して押え部材６０が辺１２Ｔに対して立ち上がった姿勢で、押え部材６０をＬＤ方向に引っ張ることにより、爪部６４ａが弾性変形して第２端部６４が軸部４４から離脱する。このようにして押え部材６０を額縁１０Ｆから取外すことも可能である。尚、ＬＤ方向は、押え部材６０の長手方向と同じである。このため、押え部材６０を取外す際には爪部３０から離脱した状態で押え部材６０の長手方向に引っ張ればよいので押え部材６０を容易に取外すことができる。また、第２端部６４を支持部４０に係合させる際には、爪部６４ａと突片部６４ｂとの間に軸部４４が挿入されるように第２端部６４を支持部４０に押付ける。これにより爪部６４ａを弾性変形し、爪部６４ａと突片部６４ｂが軸部４４を挟み第２端部６４が支持部４０に係合する。
【００２６】
本実施例では、作業者が取手部６８をつかんで押え部材６０を容易に回転させることができる。特に、爪部３０から押え部材６０を離脱させる際に押え部材６０を容易に離脱させることができる。これによっても、部品５０の交換作業性が向上している。
【００２７】
本実施例ではネジを使用せずに押え部材６０を額縁１０Ｆに取付けられる。このため、ネジの取付け、取外し作業が不要であり、額縁１０Ｆに対する押え部材６０の取付けや取外しの作業性、及び部品５０の交換作業性が向上している。
【００２８】
図２に示したように、コンピュータ１にはファンＦ、ハードディスクドライブＨＤＤ、イオナイザーＩＮ、光ディスクドライブＯＤＤなどが搭載されている。これらは、回転する機構を備えている。例えばイオナイザーＩＮにはイオンを拡散するためのファンが搭載されている。このため、これらの機構が回転により振動するおそれがある。この振動が部品５０に伝達されると、マイクロフォン５６がこの振動音を集音するおそれがある。または、カメラ５５の映像に影響を与えるおそれもある。しかしながら本実施例では押え部材６０が部品５０を押えるので、部品５０が振動することが抑制される。これにより、マイクロフォン５６が振動音を集音することが抑制される。また、振動によるカメラ５５の映像への影響をも抑制できる。ファンＦ、ハードディスクドライブＨＤＤ、イオナイザーＩＮ、光ディスクドライブＯＤＤは、振動源の一例であるがこれらに限定されない。
【００２９】
額縁１０ＦとタッチパネルＰとの間には緩衝部材ＣＵが挟まれている。緩衝部材ＣＵは、額縁１０Ｆに対応して枠状である。図１２は、緩衝部材ＣＵ周辺の断面図である。緩衝部材ＣＵは、発砲部材ＣＵ１、発砲部材ＣＵ１の一方の面とタッチパネルＰとを接着する両面テープＣＵ２、発砲部材ＣＵ１の他方の面と額縁１０Ｆとを接着する両面テープＣＵ３、を含む。発砲部材ＣＵ１は、スポンジである。緩衝部材ＣＵは、額縁１０ＦとタッチパネルＰとを接着している。緩衝部材ＣＵによっても、部品５０への振動の伝達が抑制される。例えば、ユーザがタッチパネルＰを触れた際に生じる振動が緩衝部材ＣＵにより吸収される。マイクロフォン５６が振動音を集音することが抑制される。また、カメラ５５の映像への影響を抑制することができる。
【００３０】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３１】
上記実施例においては、電子装置の一例として、モニタを備えたコンピュータ、デスクトップ型コンピュータを例に説明したが、電子装置はそれ以外であってもよい。例えば、タブレット型コンピュータ、携帯電話、携帯テレビ、電子辞書、ＰＤＡ、ゲーム機、カメラ、音楽プレイヤー、ナビゲーション装置等である。また、電子装置は、このような携帯装置のみならず、据置型の電子装置であってもよい。例えば、電子装置は、モニタ、テレビ、オーディオ、その他の家電製品であってもよい。
【００３２】
上記実施例においては、電子部品の一例としてカメラ５５、マイクロフォン５６を含む部品５０を説明した。しかしながら、これに限定されず、例えば、カメラ、マイクロフォン、アンテナ、プリント基板の少なくとも一つであればよい。
【００３３】
上記実施例においては、振動源であるハードディスクドライブＨＤＤなどが設けられているがこのような振動源が設けられていなくてもよい。振動源が設けられていない電子装置であっても、使用環境によっては外部からの振動が電子装置に伝達される場合もあるからである。このような電子装置においても部品５０に振動が伝達されることが抑制される。
【００３４】
部品５０、押え部材６０は、辺１２Ｔ以外の額縁１０Ｆの辺に取り付けてもよい。また、額縁１０Ｆを被取付部材の一例として説明したがこれに限定されない。例えば、リアカバー１０Ｒ側に部品５０、押え部材６０を取付けてもよい。
【符号の説明】
【００３５】
１  コンピュータ
１０Ｆ  額縁（被取付部材）
１０Ｒ  リアカバー
３０  爪部
４０  支持部
５０  部品（電子部品）
５５  カメラ
５６  マイクロフォン
６０  押え部材（取付部材）
６３  第１端部
６４  第２端部（挟持部）
ＣＵ  緩衝部材
Ｆ  ファン
ＨＤＤ  ハードディスクドライブ
ＯＤＤ  光ディスクドライブ
ＩＮ  イオナイザー
【図１】
2014060292.tif 000003
【図２】
2014060292.tif 000004
【図３】
2014060292.tif 000005
【図４】
2014060292.tif 000006
【図５】
2014060292.tif 000007
【図６】
2014060292.tif 000008
【図７】
2014060292.tif 000009
【図８】
2014060292.tif 000010
【図９】
2014060292.tif 000011
【図１０】
2014060292.tif 000012
【図１１】
2014060292.tif 000013
【図１２】
2014060292.tif 000014